(57)【要約】【課題】制御機能間の情報連携をスムーズにし、新機能の追加を容易に行うことが可能な通信制御装置を提供する。【解決手段】通信制御装置１では制御機能モジュール２のルーティング機能２２、シグナリング機能２１、リンクマネジメント機能２４、経路計算機能２３等の各種機能が連携して動作を行う必要がある。プラットフォーム部４はこれらの機能が必要な情報を共有し、譲歩の整合性を保つために、各機能が共有すべき情報について、クロスコネクト情報テーブル４１とパス情報テーブル４２とリンク情報テーブル４３とトポロジ情報テーブル４４とアドレス情報テーブル４５とを用いて統一管理を行う。共通インタフェース部３は制御機能モジュール２の各機能とプラットフォーム部４との間において統一されたインタフェースでの情報の取得・操作・変更通知を行う。【選択図】      図１
2004320390.tif 000002
【特許請求の範囲】
【請求項１】
スイッチネットワークを統一されたフレームワークで制御するためのＧＭＰＬＳ（Ｇｅｎｅｒａｌｉｚｅｄ  Ｍｕｌｔｉ  ＰｒｏｔｏｃｏｌＬａｂｅｌ  Ｓｗｉｔｃｈｉｎｇ）をサポートする通信制御装置であって、前記ＧＭＰＬＳの制御機能モジュールが共有すべき情報を統一的に管理するプラットフォーム部と、前記プラットフォーム部が管理する情報を操作するための共通インターフェイスとを有することを特徴とする通信制御装置。
【請求項２】
前記プラットフォーム部は、前記制御機能モジュールにおいて変化した情報を通知することを特徴とする請求項１記載の通信制御装置。
【請求項３】
前記ＧＭＰＬＳの制御対象の通信装置に依存する情報及び制御機能と、依存しない情報及び制御機能とを分離することを特徴とする請求項１または請求項２記載の通信制御装置。
【請求項４】
前記プラットフォーム部を実現する中央処理装置と、前記制御機能モジュールの各制御機能を実現する中央処理装置とが互いに異なることを特徴とする請求項１から請求項３のいずれか記載の通信制御装置。
【請求項５】
前記プラットフォーム部は、少なくともクロスコネクト情報テーブルと、パス情報テーブルと、リンク情報テーブルと、トポロジ情報テーブルと、アドレス情報テーブルとを含むことを特徴とする請求項１から請求項４のいずれか記載の通信制御装置。
【請求項６】
スイッチネットワークを統一されたフレームワークで制御するためのＧＭＰＬＳ（Ｇｅｎｅｒａｌｉｚｅｄ  Ｍｕｌｔｉ  ＰｒｏｔｏｃｏｌＬａｂｅｌ  Ｓｗｉｔｃｈｉｎｇ）をサポートする通信制御装置の実装方法であって、プラットフォーム部にて前記ＧＭＰＬＳの制御機能モジュールが共有すべき情報を統一的に管理し、共通インターフェイスにて前記プラットフォーム部が管理する情報を操作可能とするよう実装したことを特徴とする実装方法。
【請求項７】
前記制御機能モジュールにおいて変化した情報を前記プラットフォーム部から通知することを特徴とする請求項６記載の実装方法。
【請求項８】
前記ＧＭＰＬＳの制御対象の通信装置に依存する情報及び制御機能と、依存しない情報及び制御機能とを分離することを特徴とする請求項６または請求項７記載の実装方法。
【請求項９】
前記プラットフォーム部を実現する中央処理装置と、前記制御機能モジュールの各制御機能を実現する中央処理装置とが互いに異なることを特徴とする請求項６から請求項８のいずれか記載の実装方法。
【請求項１０】
前記プラットフォーム部が、少なくともクロスコネクト情報テーブルと、パス情報テーブルと、リンク情報テーブルと、トポロジ情報テーブルと、アドレス情報テーブルとを含むことを特徴とする請求項６から請求項９のいずれか記載の実装方法。
【発明の詳細な説明】
【０００１】
【発明の属する技術分野】
本発明は通信制御装置及びそれに用いる実装方法に関し、特にＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）通信制御装置を実現するための実装方式に関する。
【０００２】
【従来の技術】
ＧＭＰＬＳはパケットネットワーク、ＴＤＭ（Ｔｉｍｅ  Ｄｉｖｉｓｉｏｎ  Ｍｕｌｔｉｐｌｅｘｉｎｇ）ネットワーク、ＯＸＣ（Ｏｐｔｉｃａｌ  Ｃｒｏｓｓｃｏｎｎｅｃｔ）ネットワーク等のスイッチネットワークを、統一されたフレームワークで制御するための技術である（例えば、非特許文献１参照）。
【０００３】
ＧＭＰＬＳネットワークは、通信装置（以下、ノードとする）と、通信回線（以下、リンクとする）とから構成されている。各ノードを制御する通信制御装置ではＧＭＰＬＳの各制御機能モジュールが動作している。これらの機能は総称してＧＭＰＬＳ制御プレーンと呼ばれている。
【０００４】
ＧＭＰＬＳ制御プレーンをサポートするための制御機能には、シグナリング機能、ルーティング機能、リンクマネジメント機能、経路計算機能等が挙げられる。リンクマネジメント機能は通信制御装置が起動すると、自ノードが保持するリンク情報を隣接するノードと交換し、隣接ノード発見及びリンクの状態検出を行う。
【０００５】
ルーティング機能は自ノードのリンク情報を他のノードに広告し、またネットワーク上の全ノードのリンク情報を収集し、ネットワークのトポロジグラフを構築する（例えば、非特許文献２参照）。
【０００６】
通信制御装置がパスの設定要求を受付けた場合、経路計算機能はルーティング機能が構築したトポロジグラフを使用してパスの経路を計算する。パスの計算が終了すると、シグナリング機能が経路上のノードにパス設定を行う（例えば、非特許文献３参照）。
【０００７】
上記のように、ＧＭＰＬＳ制御プレーンでは、複数の制御機能が情報を共有して動作している。ＧＭＰＬＳ制御プレーンの制御機能が連携動作を行う際に、制御機能自体がそれぞれ情報管理を行い、各制御機能モジュール間で情報交換を行っている。
【０００８】
【非特許文献１】
Ｅｒｉｃ  Ｍａｎｎｉｅ  ｅｔ  ａｌ．，“ＧｅｎｅｒａｌｉｚｅｄＭｕｌｔｉ−Ｐｒｏｔｏｃｏｌ  Ｌａｂｅｌ  Ｓｗｉｔｃｈｉｎｇ（ＧＭＰＬＳ）  Ａｒｃｈｉｔｅｃｔｕｒｅ”，Ｉｎｔｅｒｎｅｔ  Ｄｒａｆｔ，Ｗｏｒｋｉｎ  Ｐｒｏｇｒｅｓｓ，ｄｒａｆｔ−ｉｅｔｆ−ｃｃａｍｐ−ｇｍｐｌｓ−ａｒｃｈｉｔｅｃｔｕｒｅ−０３．ｔｘｔ，Ａｕｇｕｓｔ  ２００２．
【非特許文献２】
Ｋ．Ｋｏｍｐｅｌｌａ  ｅｔ  ａｌ．，“Ｒｏｕｔｉｎｇ  Ｅｘｔｅｎｓｉｏｎｓ  ｉｎ  Ｓｕｐｐｏｒｔ  ｏｆ  Ｇｅｎｅｒａｌｉｚｅｄ  ＭＰＬＳ”，Ｉｎｔｅｒｎｅｔ  Ｄｒａｆｔ，Ｗｏｒｋ  ｉｎ  Ｐｒｏｇｒｅｓｓ，ｄｒａｆｔ−ｉｅｔｆ−ｃｃａｍｐ−ｇｍｐｌｓ−ｒｏｕｔｉｎｇ−０５．ｔｘｔ，Ａｕｇｕｓｔ  ２００２．
【非特許文献３】
Ｌｏｕ  Ｂｅｒｇｅｒ  ｅｔ  ａｌ．，“Ｇｅｎｅｒａｌｉｚｅｄ  ＭＰＬＳ  −  Ｓｉｇｎａｌｉｎｇ  Ｆｕｎｃｔｉｏｎａｌ  Ｄｅｓｃｒｉｐｔｉｏｎ”，Ｉｎｔｅｒｎｅｔ  Ｄｒａｆｔ，Ｗｏｒｋ  ｉｎ  Ｐｒｏｇｒｅｓｓ，ｄｒａｆｔ−ｉｅｔｆ−ｃｃａｍｐ−ｇｍｐｌｓ−ｓｉｇｎａｌｉｎｇ−０９．ｔｘｔ，Ａｕｇｕｓｔ  ２００２．
【０００９】
【発明が解決しようとする課題】
上述した従来のＧＭＰＬＳ制御プレーンでは、制御機能が連携動作を行う際に制御機能自体がそれぞれ情報管理を行い、各制御機能モジュール間で情報交換を行っているため、新規機能を追加しようとした場合、新規機能モジュールは動作に必要な情報を持つ全ての制御機能モジュールにアクセスしなくてはならず、新機能の追加が困難である。
【００１０】
また、従来のＧＭＰＬＳ制御プレーンでは、情報の変更を知ることが必要な機能が複数有る場合、その情報を持つ制御機能がその情報を必要とするすべての制御機能に通知を行う必要があるため、本来の制御機能とは異なる処理のための負荷が高くなり、主要機能の処理速度に影響を及ぼすこととなる。
【００１１】
さらに、従来のＧＭＰＬＳ制御プレーンでは、機能の一部を他の通信装置等へ移植しようとした場合、必要な情報を持っているが不要な制御機能全てをも移植しなければならず、非効率的である。
【００１２】
そこで、本発明の目的は上記の問題点を解消し、制御機能間の情報連携をスムーズにすることができ、新機能の追加を容易に行うことができる通信制御装置及びそれに用いる実装方法を提供することにある。
【００１３】
また、本発明の他の目的は、機能の移植性を高めることができ、制御機能モジュールの負荷を低減して構造を簡素化することができる通信制御装置及びそれに用いる実装方法を提供することにある。
【００１４】
【課題を解決するための手段】
本発明による通信制御装置は、スイッチネットワークを統一されたフレームワークで制御するためのＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）をサポートする通信制御装置であって、前記ＧＭＰＬＳの制御機能モジュールが共有すべき情報を統一的に管理するプラットフォーム部と、前記プラットフォーム部が管理する情報を操作するための共通インターフェイスとを備えている。
【００１５】
本発明による通信制御装置の実装方法は、スイッチネットワークを統一されたフレームワークで制御するためのＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）をサポートする通信制御装置の実装方法であって、プラットフォーム部にて前記ＧＭＰＬＳの制御機能モジュールが共有すべき情報を統一的に管理し、共通インターフェイスにて前記プラットフォーム部が管理する情報を操作可能とするよう実装している。
【００１６】
すなわち、本発明の通信制御装置は、パケットネットワーク、ＴＤＭ（Ｔｉｍｅ  Ｄｉｖｉｓｉｏｎ  Ｍｕｌｔｉｐｌｅｘｉｎｇ）ネットワーク、ＯＸＣ（Ｏｐｔｉｃａｌ  Ｃｒｏｓｓｃｏｎｎｅｃｔ）ネットワーク等のスイッチネットワークを統一されたフレームワークで制御するためのＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）通信制御装置である。
【００１７】
本発明の通信制御装置では、ＧＭＰＬＳの各制御機能モジュールを示すＧＭＰＬＳ制御プレーンにおける各制御機能が連携に必要な情報を統一管理するプラットフォームを持ち、情報にアクセスするための統一インタフェースを提供するとともに、情報の変更を制御機能に通知する仕組みを持っている。
【００１８】
より具体的に説明すると、本発明の通信制御装置は、ＧＭＰＬＳ制御プレーンが必要とする情報を管理するプラットフォーム部を持ち、各制御機能モジュールが収集した情報及び設定した情報をプラットフォーム部に登録している。
【００１９】
制御機能モジュールはプラットフォーム部が持つ情報に対して共通のインタフェースで登録、削除、変更、検索等の操作を行う。プラットフォーム部は制御機能モジュールが事前に登録した情報変更通知要求にしたがって、変更のあった情報を制御モジュールに通知する。
【００２０】
上記のように、本発明のＧＭＰＬＳ通信制御装置では、ＧＭＰＬＳ制御プレーンが必要とする情報をプラットフォーム部で統一管理することで、各制御機能間の情報連携をスムーズにし、新機能の追加を容易にし、機能の移植性を高め、制御機能モジュールの負荷を低減し、構造を簡素化することが可能となる。
【００２１】
【発明の実施の形態】
次に、本発明の実施例について図面を参照して説明する。図１は本発明の一実施例によるＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）通信制御装置（以下、通信制御装置とする）の構成を示すブロック図である。
【００２２】
図１において、通信制御装置１は制御機能モジュール２と、統一されたインタフェースでの情報の取得・操作・変更通知を行うための共通インタフェース部３と、プラットフォーム部４と、ハードウェア依存操作インタフェース部５と、装置依存処理部６とから構成されており、装置依存処理部６を介して通信装置（制御対象装置）７に接続されている。
【００２３】
制御機能モジュール２はシグナリング機能２１、ルーティング機能２２、線路計算機能２３、リンクマネジメント機能２４、その他の追加機能２５等から構成されている。
【００２４】
プラットフォーム部４はクロスコネクト情報テーブル４１と、パス情報テーブル４２と、リンク情報テーブル４３と、トポロジ情報テーブル４４と、アドレス情報テーブル４５とから構成されている。
【００２５】
図２は本発明の一実施例によるネットワークの構成例を示すブロック図である。図２において、本発明の一実施例によるネットワークは通信制御装置１−１〜１−５を含むノード（通信装置）１１〜１５と、クライアント３１，３２と、各ノード１１〜１５間を接続するリンク（通信回線）２０１〜２０５と、ノード１１〜１５とクライアント３１，３２とを接続するリンク２０６，２０７とから構成されている。クライアント３１，３２にはそれぞれアドレス２１１，２１２が付与されている。
【００２６】
図３は本発明の一実施例による通信制御機能間の情報共有動作を示す図であり、図４は本発明の一実施例によるパス設定時の動作を示す図であり、図５は本発明の一実施例による情報変更時の変更通知動作を示す図である。これら図１〜図５を参照して本発明の一実施例による通信制御装置１の動作概要について説明する。
【００２７】
図３は通信制御装置１−１が起動し、ネットワーク内でリンク情報、トポロジ情報、アドレス情報を共有するまでの通信制御装置１−１内の動作を示している。つまり、通信制御装置１−１が起動すると、装置依存処理部６は利用可能なリンク情報を通信装置７から取得する。
【００２８】
プラットフォーム部４は装置依存処理部６からリンク情報を取得する。リンクマネジメント機能２４はプラットフォーム部４からリンク情報を取得し、隣接ノード１−２とリンク情報を交換して接続先ノードのリンク情報を取得し、そのリンク情報をプラットフォーム部４に登録する。
【００２９】
ルーティング機能２２はプラットフォーム部４からリンク情報とアドレス情報とを取得し、取得したリンク情報から自ノードのトポロジ情報を作成し、隣接ノード１−２を経由してネットワーク全体のトポロジ情報、アドレス情報の交換を行う。ルーティング機能２２は取得した他ノードのトポロジ情報、アドレス情報をプラットフォーム部４に登録する。経路計算機能２３はプラットフォーム部４からトポロジ情報を取得し、ネットワーク全体のトポロジグラフを構築する。
【００３０】
図４はリンク情報、トポロジ情報、アドレス情報がネットワーク全体で交換された状態で、パスの設定を行う場合の通信制御装置１−１の動作を示している。この場合、ユーザ等からはシグナリング機能２１に対してパス設定要求が送られる。
【００３１】
シグナリング機能２１は経路計算機能２３に対して、パス設定要求条件を満たす経路の計算を要求する。経路計算機能２３はシグナリング機能２１から要求された経路計算要求に対して、プラットフォーム部４のアドレス情報及びプラットフォーム部４から取得したトポロジ情報を基に経路を計算する。例えば、「パス始点：アドレス４１」、「パス終点：アドレス４２」、「要求帯域：２．４Ｇｂｐｓ」というパス設定要求に対してはアドレス解決を行う。
【００３２】
プラットフォーム部４のアドレス情報テーブル４５には、ルーティング機能２２で収集された、「アドレス４１：ノード１１のクライアント」、「アドレス４２：ノード１５のクライアント」、・・・というようなアドレス情報が格納されている。
【００３３】
経路計算機能２３はこれらの情報からパス始点、パス終点を検索し、始点ノード、終点ノードを決定する。その後、経路計算機能２３は始点ノードから終点ノードまで要求帯域などの属性を満たすリンクを探して経路を作成する。
【００３４】
例えば、トポロジ情報が「リンク２０１：ノード１１−１２  予約可能帯域  ２．４Ｇｂｐｓ」、「リンク２０２：ノード１２−１３  予約可能帯域  １．０Ｇｂｐｓ」、「リンク２０３：ノード１２−１４  予約可能帯域  ２．４Ｇｂｐｓ」、「リンク２０４：ノード１３−１５  予約可能帯域  １．０Ｇｂｐｓ」、「リンク２０５：ノード１４−１５  予約可能帯域  ２．４Ｇｂｐｓ」というような情報であったとする。
【００３５】
この場合、経路計算機能２３は要求帯域２．４Ｇｂｐｓを満たす経路として｛ノード１１−リンク２０１−ノード１２−リンク２０３−ノード１４−リンク２０５−ノード１５｝を計算し、シグナリング機能２１に応答する。
【００３６】
シグナリング機能２１は経路計算機能２３から受取った経路に沿ってシグナリングプロトコルを使い、パス設定を行う。パス設定とは、具体的に帯域予約とＸＣ（スイッチ）設定をすることであり、シグナリング機能２１はプラットフォーム部４にパス情報を登録し、ＸＣ情報設定と、帯域予約設定とを要求する。プラットフォーム部４はシグナリング機能２１から受信したこれらの情報をテーブルに格納し、装置依存処理部６に対してハードウェア（ＨＷ）設定を要求する。
【００３７】
図５はパス設定によって変化した情報をプラットフォーム部４が必要な機能に通知する動作を示している。この場合、ルーティング機能２２、リンクマネジメント機能２４、経路計算機能２３等は起動時に、プラットフォーム部４に対して変更が合った場合に通知が必要な情報の種類を登録しておく。プラットフォーム部４は登録された情報に対して変更があった場合、変更通知要求のあった制御機能に対して通知を行う。
【００３８】
例えば、シグナリング機能２１が行った帯域予約によってリンク情報テーブル４３の予約可能帯域情報が変化した時には、プラットフォーム部４ではその変更をルーティング機能２２、リンクマネジメント機能２４に通知する。
【００３９】
ルーティング機能２２はその変更をトポロジ情報として更新し、隣接ノード１−２に通知し、またプラットフォーム部４の自ノードのトポロジ情報を変更する。トポロジ情報の変更はプラットフォーム部４から経路計算機能２３に通知される。
【００４０】
このように、本実施例では、上記のような実装アーキテクチャをとることによって、制御機能モジュール間の情報共有が統一され、新機能を追加する場合、情報の取得、更新、整合性確保が容易となる。
【００４１】
図６及び図７は本発明の他の実施例による通信制御装置の構成例を示すブロック図である。図６において、本発明の他の実施例による通信制御装置１では、シグナリング機能２１、ルーティング機能２２、線路計算機能２３、リンクマネジメント機能２４、その他の追加機能２５、プラットフォーム部４、装置依存処理部６を単一のＣＰＵ（中央処理装置）５０で動作させるようにした以外は図１の本発明の一実施例の構成及び動作と同様となっている。
【００４２】
しかしながら、単一のＣＰＵ５０では処理能力が不足する場合、本発明のアーキテクチャでは制御機能モジュール２の各機能がプラットフォーム部４で情報を共有し、各機能とプラットフォーム部４とが通信可能な共通インタフェースで接続されているため、図７に示すように複数のＣＰＵ５１〜５４上で各機能を動作させることが可能となる。
【００４３】
このように、本実施例では、制御機能モジュール２の各機能とプラットフォーム部４との間を通信可能な共通インタフェースで結合することによって、機能毎に異なるＣＰＵ５１〜５４での動作が可能となり、スケーラビリティの向上が容易となる。
【００４４】
図８は本発明の別の実施例による通信制御装置の構成例を示すブロック図である。図８においては、本発明の別の実施例による通信制御装置１ａ，１ｂにおける移植可能機能の構成を示している。
【００４５】
ＧＭＰＬＳの通信制御機能は、ＳＯＮＥＴ（Ｓｙｎｃｈｒｏｎｏｕｓ  Ｏｐｔｉｃａｌ  Ｎｅｔｗｏｒｋ）、ＳＤＨ（Ｓｙｎｃｈｒｏｎｏｕｓ  Ｄｉｇｉｔａｌ  Ｈｉｅｒａｒｃｈｙ）、ＯＸＣ（Ｏｐｔｉｃａｌ  ＣｒｏｓｓＣｏｎｎｅｃｔ）、ＭＰＬＳ（Ｍｕｌｔｉ−ｐｒｏｔｏｃｏｌ  Ｌａｂｅｌ  Ｓｗｉｔｃｈｉｎｇ）等の様々な通信装置を制御対象とする。
【００４６】
そのため、どの装置にも移植が容易になるように、本発明のアーキテクチャではリンク情報の取得、帯域予約、スイッチ設定等の通信装置（制御対象装置）７ａ，７ｂに依存する処理のみを装置依存処理部６ａ，６ｂとして分離している。これによって、本実施例では、様々な通信装置（制御対象装置）７ａ，７ｂに対して最小限の作業で通信制御装置１ａ，１ｂ間の移植が可能となる。
【００４７】
また、通信装置（制御対象装置）７ａ，７ｂによって必要な機能が異なる場合には、プラットフォーム部４ａ，４ｂと必要な機能（図８においては、シグナリング機能２１ｂ、リンクマネジメント機能２４ｂ）のみとを移植することが可能であり、他の不要な機能を移植する必要がない。
【００４８】
このように、本実施例では、通信装置（制御対象装置）７ａ，７ｂに依存する情報及び処理を分離することによって、各機能の移植性を高めることが可能となる。
【００４９】
また、本実施例では、プラットフォーム部４で情報を統一管理し、情報提供、変更通知を行うため、制御機能モジュール２の情報管理や変更通知のための負荷を低減し、構造を簡素化することが可能となる。
【００５０】
【発明の効果】
以上説明したように本発明の通信制御装置は、上記のような構成及び動作とすることで、制御機能間の情報連携をスムーズにすることができ、新機能の追加を容易に行うことができるという効果が得られる。
【００５１】
また、本発明の他の通信制御装置は、上記のような構成及び動作とすることで、機能の移植性を高めることができ、制御機能モジュールの負荷を低減して構造を簡素化することができるという効果が得られる。
【図面の簡単な説明】
【図１】本発明の一実施例によるＧＭＰＬＳ通信制御装置の構成を示すブロック図である。
【図２】本発明の一実施例によるネットワークの構成例を示すブロック図である。
【図３】本発明の一実施例による通信制御機能間の情報共有動作を示す図である。
【図４】本発明の一実施例によるパス設定時の動作を示す図である。
【図５】本発明の一実施例による情報変更時の変更通知動作を示す図である。
【図６】本発明の他の実施例によるＧＭＰＬＳ通信制御装置の構成例を示すブロック図である。
【図７】本発明の他の実施例によるＧＭＰＬＳ通信制御装置の構成例を示すブロック図である。
【図８】本発明の別の実施例によるＧＭＰＬＳ通信制御装置の構成例を示すブロック図である。
【符号の説明】
１，１ａ，１ｂ  通信制御装置
２  制御機能モジュール
４，４１，４ｂ  プラットフォーム部
５  ハードウェア依存操作インタフェース部
６，６ａ，６ｂ  装置依存処理部
７，７ａ，７ｂ  通信装置（制御対象装置）
１１〜１５  ノード
２１，２１ａ，
２１ｂ  シグナリング機能
２２，２２ａ  ルーティング機能
２３，２３ａ  線路計算機能
２４，２４ａ，
２４ｂ  リンクマネジメント機能
２５，２５ａ  その他の追加機能
３１，３２  クライアント
４１  クロスコネクト情報テーブル
４２  パス情報テーブル
４３  リンク情報テーブル
４４  トポロジ情報テーブル
４５  アドレス情報テーブル
５０〜５４  ＣＰＵ
２０１〜２０５  リンク
【図１】
2004320390.tif 000003
【図２】
2004320390.tif 000004
【図３】
2004320390.tif 000005
【図４】
2004320390.tif 000006
【図５】
2004320390.tif 000007
【図６】
2004320390.tif 000008
【図７】
2004320390.tif 000009
【図８】
2004320390.tif 000010